(57)【要約】【課題】  天井等との干渉を抑制することが可能なＬＥＤ照明装置を提供すること。【解決手段】  各々がＬＥＤチップ２１を含む複数のＬＥＤ発光部２と、ｚ方向に対して直角である第１の面２７１と第２の面２７２とを備え、ＬＥＤ発光部２が第１の面２７１に搭載されたＬＥＤ基板２７と、第２の面２７２側に配置されて、複数のＬＥＤ発光部２に電力を供給する電源部５２と、第２の面２７２と平行であり電源部５２と対向する第３の面１１２２ａとその裏面の第４の面１１２２ｂとを備えた第１の板部としての底板部分１１２２を有してＬＥＤ基板２７の第２の面２７２側から電源部５２を収容するケース１と、底板部分１１２２の第４の面１１２２ｂ側に配置されて、底板部分１１２２の第４の面１１２２ｂと角度をなす第５の面５１１２に電源部５２に電力を供給するための外部の給電ケーブル８９が接続される電極端子５１２が露出して形成された外部端子部５１と、を備える。【選択図】  図５
2017117548.tif 000002
【特許請求の範囲】
【請求項１】
各々がＬＥＤチップを含む複数のＬＥＤ発光部と、
第１の方向に対して直角である第１の面と第２の面とを備え、前記ＬＥＤ発光部が前記第１の面に搭載されたＬＥＤ基板と、
前記ＬＥＤ基板の前記第２の面側に配置されて、前記複数のＬＥＤ発光部に電力を供給する電源部と、
前記ＬＥＤ基板の前記第２の面と平行であり前記電源部と対向する第３の面とその裏面の第４の面とを備えた第１の板部を有して前記ＬＥＤ基板の前記第２の面側から前記電源部を収容するケースと、
前記第１の板部の前記第４の面側に配置されて、前記第１の板部の前記第４の面と角度をなす第５の面に前記電源部に電力を供給するための外部の給電ケーブルが接続される電極端子が露出して形成された外部端子部と、を備えることを特徴とする、ＬＥＤ照明装置。
【請求項２】
前記ケースに固定され、前記第１の方向視において前記ケースから延出する固定手段を備えており、
前記給電ケーブルは、前記第１の方向視において前記固定手段が延出する方向と交差する方向に延びている、請求項１に記載のＬＥＤ照明装置。
【請求項３】
前記給電ケーブルは、前記外部端子部に対して前記第１の方向と直角である方向に接続されている、請求項２に記載のＬＥＤ照明装置。
【請求項４】
前記外部端子部は、前記第１の方向に対して傾斜した斜面を有する保護部材を具備する、請求項１ないし３のいずれかに記載のＬＥＤ照明装置。
【請求項５】
前記斜面は、前記第１の方向視において前記給電ケーブルとは反対側に設けられている、請求項４に記載のＬＥＤ照明装置。
【請求項６】
前記電源部は、
前記ケースは、前記電源部を収容する筒状部を有しており、
前記第１の方向視において、前記外部端子部は、前記筒状部に内包されている、請求項１ないし５のいずれかに記載のＬＥＤ照明装置。
【請求項７】
天井面および天井貫通孔を有する天井に取り付けられた状態で、
前記複数のＬＥＤ発光部は、そのすべてが前記天井面よりも室内側に位置する、請求項１ないし６のいずれかに記載のＬＥＤ照明装置。
【請求項８】
前記外部端子部は、そのすべてが前記天井面よりも室外側に位置している、請求項７に記載のＬＥＤ照明装置。
【請求項９】
前記電源部は、そのすべてが前記天井面よりも室外側に位置している、請求項８に記載のＬＥＤ照明装置。
【請求項１０】
前記ＬＥＤ発光部からの光を透過させる透光カバーをさらに備えており、
前記ケースのうち前記天井面よりも室内側に位置する部分と前記透光カバーとによって室内部が構成されている、請求項７ないし９のいずれかに記載のＬＥＤ照明装置。
【請求項１１】
前記電源部は、前記第１方向視において前記室内部の中心に重なる、請求項１０に記載のＬＥＤ照明装置。
【請求項１２】
前記室内部は、前記第１方向視円形状である、請求項１１に記載のＬＥＤ照明装置。
【請求項１３】
前記透光カバーは、前記複数のＬＥＤ発光部からの光を拡散させつつ透過させる、請求項１２に記載のＬＥＤ照明装置。
【請求項１４】
前記ケースは、金属からなる部位を有する、請求項１２または１３に記載のＬＥＤ照明装置。
【請求項１５】
前記室内部の前記天井面からの突出高さは、前記室内部の直径の５％〜２５％である、請求項１０ないし１４のいずれかに記載のＬＥＤ照明装置。
【請求項１６】
前記室内部の前記天井面からの突出高さは、１０ｍｍ〜２０ｍｍである、請求項１５に記載のＬＥＤ照明装置。
【請求項１７】
前記複数のＬＥＤ発光部は、同心円状に配置されている、請求項１６に記載のＬＥＤ照明装置。
【請求項１８】
前記ＬＥＤ基板は、前記第１の方向視円形状である、請求項１７に記載のＬＥＤ照明装置。
【請求項１９】
前記複数のＬＥＤ発光部は、各々が前記ＬＥＤチップ、このＬＥＤチップを覆う透光樹脂、および実装端子を有する、請求項１７または１８に記載のＬＥＤ照明装置。
【請求項２０】
前記透光樹脂は、前記ＬＥＤチップからの光によって励起されることにより前記ＬＥＤチップからの光とは異なる波長の光を発する蛍光材料が混入されている、請求項１９に記載のＬＥＤ照明装置。
【発明の詳細な説明】
【技術分野】
【０００１】
本発明は、ＬＥＤ照明装置に関する。
【背景技術】
【０００２】
ＬＥＤチップを光源として用いた様々なＬＥＤ照明装置が提案されている。特許文献１には、いわゆるダウンライトとして用いられるＬＥＤ照明装置が開示されている。このＬＥＤ照明装置は、複数のＬＥＤチップおよびこれらのＬＥＤチップを点灯させるための電源部を備えている。複数のＬＥＤチップおよび電源部は、天井面よりも室内とは反対側の室外側に配置されている。天井面よりも室外側の空間には、たとえば構造物としての梁や空調ダクトなどの障害物が設置されている場合が多い。このような障害物とＬＥＤ照明装置との干渉の回避を考慮すると、ＬＥＤ照明装置の設置場所が制限されるなどの問題がある。また、ＬＥＤ照明装置を天井に設置する際にも、天井等とＬＥＤ照明装置との干渉を避けることが好ましい。
【先行技術文献】
【特許文献】
【０００３】
【特許文献１】特開２０１５−６０８３２号公報
【発明の概要】
【発明が解決しようとする課題】
【０００４】
本発明は、上記した事情のもとで考え出されたものであって、天井等との干渉を抑制することが可能なＬＥＤ照明装置を提供することをその課題とする。
【課題を解決するための手段】
【０００５】
本発明によって提供されるＬＥＤ照明装置は、各々がＬＥＤチップを含む複数のＬＥＤ発光部と、第１の方向に対して直角である第１の面と第２の面とを備え、前記ＬＥＤ発光部が前記第１の面に搭載されたＬＥＤ基板と、前記ＬＥＤ基板の前記第２の面側に配置されて、前記複数のＬＥＤ発光部に電力を供給する電源部と、前記ＬＥＤ基板の前記第２の面と平行であり前記電源部と対向する第３の面とその裏面の第４の面とを備えた第１の板部を有して前記ＬＥＤ基板の前記第２の面側から前記電源部を収容するケースと、前記第１の板部の前記第４の面側に配置されて、前記第１の板部の前記第４の面と角度をなす第５の面に前記電源部に電力を供給するための外部の給電ケーブルが接続される電極端子が露出して形成された外部端子部と、を備えることを特徴としている。
【０００６】
本発明の好ましい実施の形態においては、前記ケースに固定され、前記第１の方向視において前記ケースから延出する固定手段を備えており、前記給電ケーブルは、前記第１の方向視において前記固定手段が延出する方向と交差する方向に延びている。
【０００７】
本発明の好ましい実施の形態においては、前記給電ケーブルは、前記外部端子部に対して前記第１の方向と直角である方向に接続されている。
【０００８】
本発明の好ましい実施の形態においては、前記外部端子部は、前記第１の方向に対して傾斜した斜面を有する保護部材を具備する。
【０００９】
本発明の好ましい実施の形態においては、前記斜面は、前記第１の方向視において前記給電ケーブルとは反対側に設けられている。
【００１０】
本発明の好ましい実施の形態においては、前記電源部は、前記ケースは、前記電源部を収容する筒状部を有しており、前記第１の方向視において、前記外部端子部は、前記筒状部に内包されている。
【００１１】
本発明の好ましい実施の形態においては、天井面および天井貫通孔を有する天井に取り付けられた状態で、前記複数のＬＥＤ発光部は、そのすべてが前記天井面よりも室内側に位置する。
【００１２】
本発明の好ましい実施の形態においては、前記外部端子部は、そのすべてが前記天井面よりも室外側に位置している。
【００１３】
本発明の好ましい実施の形態においては、前記電源部は、そのすべてが前記天井面よりも室外側に位置している。
【００１４】
本発明の好ましい実施の形態においては、前記ＬＥＤ発光部からの光を透過させる透光カバーをさらに備えており、前記ケースのうち前記天井面よりも室内側に位置する部分と前記透光カバーとによって室内部が構成されている。
【００１５】
本発明の好ましい実施の形態においては、前記電源部は、前記第１方向視において前記室内部の中心に重なる。
【００１６】
本発明の好ましい実施の形態においては、前記室内部は、前記第１方向視円形状である。
【００１７】
本発明の好ましい実施の形態においては、前記透光カバーは、前記複数のＬＥＤ発光部からの光を拡散させつつ透過させる。
【００１８】
本発明の好ましい実施の形態においては、前記ケースは、金属からなる部位を有する。
【００１９】
本発明の好ましい実施の形態においては、前記室内部の前記天井面からの突出高さは、前記室内部の直径の５％〜２５％である。
【００２０】
本発明の好ましい実施の形態においては、前記室内部の前記天井面からの突出高さは、１０ｍｍ〜２０ｍｍである。
【００２１】
本発明の好ましい実施の形態においては、前記複数のＬＥＤ発光部は、同心円状に配置されている。
【００２２】
本発明の好ましい実施の形態においては、前記ＬＥＤ基板は、前記第１の方向視円形状である。
【００２３】
本発明の好ましい実施の形態においては、前記複数のＬＥＤ発光部は、各々が前記ＬＥＤチップ、このＬＥＤチップを覆う透光樹脂、および実装端子を有する。
【００２４】
本発明の好ましい実施の形態においては、前記透光樹脂は、前記ＬＥＤチップからの光によって励起されることにより前記ＬＥＤチップからの光とは異なる波長の光を発する蛍光材料が混入されている。
【発明の効果】
【００２５】
本発明によれば、前記第１の板部の前記第４の面と角度をなす第５の面に前記電源部に電力を供給するための外部の給電ケーブルが接続される電極端子が露出して形成された外部端子部を備えることにより、前記ＬＥＤ照明装置と天井等との干渉を抑制することができる。
【００２６】
本発明のその他の特徴および利点は、添付図面を参照して以下に行う詳細な説明によって、より明らかとなろう。
【図面の簡単な説明】
【００２７】
【図１】本発明の第１実施形態に基づくＬＥＤ照明装置を示す斜視図である。
【図２】図１のＬＥＤ照明装置を示す平面図である。
【図３】図１のＬＥＤ照明装置を示す底面図である。
【図４】図３のＩＶ−ＩＶ線に沿う断面図である。
【図５】図３のＶ−Ｖ線に沿う断面図である。
【図６】図１のＬＥＤ照明装置のＬＥＤ発光部の一例を示す断面図である。
【図７】図１のＬＥＤ照明装置の電源部の一例を示す平面図である。
【図８】図７のＶＩＩＩ線視における電源部を示す側面図である。
【図９】図１のＬＥＤ照明装置を天井に取り付ける工程を示す断面図である。
【発明を実施するための形態】
【００２８】
以下、本発明の好ましい実施の形態につき、図面を参照して具体的に説明する。
【００２９】
図１〜図５は、本発明の第１実施形態に基づくＬＥＤ照明装置を示している。本実施形態のＬＥＤ照明装置Ａ１は、ケース１、複数のＬＥＤ発光部２、ＬＥＤ基板２７、透光カバー３、外部端子部５１および電源部５２を備えている。ＬＥＤ照明装置Ａ１は、天井８の天井面８１に対して固定され、室内を照らす照明装置である。なお、本発明に係るＬＥＤ照明装置が固定される部位は、天井に限定されず、壁面や床面等の建物内部の面、あるいは建物外部の面など、様々な部位が対象となる。
【００３０】
図１は、ＬＥＤ照明装置Ａ１を示す斜視図である。図２は、ＬＥＤ照明装置Ａ１を示す平面図である。図３は、ＬＥＤ照明装置Ａ１を示す底面図である。図４は、図３のＩＶ−ＩＶ線に沿う断面図である。図５は、図３のＶ−Ｖ線に沿う断面図である。
【００３１】
なお、以降の説明においては、天井面８１に対して直角である方向における室内側を「下」側、室外側を「上」側と称する場合がある。ただし、これは、本発明に係るＬＥＤ照明装置と鉛直方向との関係を限定するものではない。なお、本発明で言う第１の方向をｚ方向とする。本実施形態においては、ｚ方向は、上下方向と一致する。また、ｚ方向に対して直角であり、且つ互いに直角である方向をｘ方向およびｙ方向と定義する。
【００３２】
ケース１は、複数のＬＥＤ発光部２、ＬＥＤ基板２７および電源部５２を収容し、且つこれらを支持するものである。ケース１の構成は特に限定されないが、本実施形態においては、ケース１は、金属部１１および樹脂部１２からなる。
【００３３】
金属部１１は、たとえば鉄、アルミなどの金属からなる。本実施形態の金属部１１は、主板部１１１および筒状部１１２を有する。主板部１１１は、ｚ方向視円形状の板状部分である。筒状部１１２は、主板部１１１に設けられた貫通孔１１１ａに繋がっている。より具体的には、筒状部１１２は、円筒部分１１２１と底板部分１１２２とを有する。円筒部分１１２１は、ｚ方向に沿う軸を有する円筒形である。円筒部分１１２１の一端が、主板部１１１に接続されており、底板部分１１２２周縁が、円筒部分１１２１の他端に接続されている。底板部分１１２２は、円筒部分１１２１の室外側端を塞ぐ。底板部分１１２２は、本発明の第１の板部に相当する。底板部分１１２２は、第３の面１１２２ａおよび第４の面１１２２ｂを有する。第３の面１１２２ａおよび第４の面１１２２ｂは、ｚ方向に対して直角であり、互いに反対側を向いている。なお、筒状部１１２は、円筒部分１１２１に代えてたとえば角筒形状の部分を有するものであってもよい。主板部１１１は、天井８の天井面８１よりも室内側に位置している。
【００３４】
また、筒状部１１２は、天井８との関係において、天井８の天井面８１よりも室内側に位置する第１部１１２ａ、天井８の天井面８１と天井裏面８２との間に位置する第２部１１２ｂ、および天井裏面８２よりも室外側に位置する第３部１１２ｃを有している。なお、図４においては、第１部１１２ａ、第２部１１２ｂおよび第３部１１２ｃのそれぞれを囲む点線を記載している。隣り合う点線の境界を若干離間させているが、これは理解の便宜であり、第１部１１２ａ、第２部１１２ｂおよび第３部１１２ｃは、天井面８１および天井裏面８２との相対関係で区画されるものである。この点は、以降の図面においても同様である。
【００３５】
樹脂部１２は、金属部１１の主板部１１１を囲んでおり、平面視円環形状である。樹脂部１２は、たとえばプラスチックなどの樹脂からなる。
【００３６】
また、本実施形態においては、ケース１の金属部１１の主板部１１１と天井８の天井面８１との間に、断熱部材７１が設けられている。断熱部材７１は、たとえばグラスウールに代表される繊維系断熱材料や発泡スチロールに代表される多孔質系断熱材料からなる。このような構成により、天井８を介した室内外の温度差に起因する熱の移動を抑制することができる。天井８に天井貫通孔８３を設けることは、このような熱移動の抑制には不利であるが、断熱部材７１を採用することにより、過大な室温変化を回避することができる。なお、ＬＥＤ照明装置Ａ１において、断熱部材７１を設けない構成を採用してもよく、これは、以降に説明する実施形態においても同様である。
【００３７】
複数のＬＥＤ発光部２は、ＬＥＤ照明装置Ａ１の光源をなす構成要素である。図６は、本実施形態のＬＥＤ発光部２を示す拡大断面図である。ＬＥＤ発光部２は、ＬＥＤチップ２１、一対のリード２２、ケース２３および透光樹脂２４を具備している。
【００３８】
ＬＥＤチップ２１は、たとえばＧａＮ系半導体からなり、たとえば青色光を発する。透光樹脂２４は、ＬＥＤチップ２１を覆っており、たとえば透明樹脂に蛍光材料が混入された材質からなる。この蛍光材料は、ＬＥＤチップ２１からの青色光によって励起されることにより黄色光を発する。この蛍光材料の種類および濃度は、ＬＥＤチップ２１からの青色光とこの蛍光材料からの黄色光とが混色することにより昼白色などの白色を呈するように調整されている。
【００３９】
一対のリード２２は、ＬＥＤチップ２１を支持し、かつＬＥＤチップ２１への導通経路となるものであり、たとえばＣｕ合金などからなる。一対のリード２２の図中下面が、本発明で言う実装端子を構成する。ＬＥＤ発光部２は、ＬＥＤ基板２７に面実装によって搭載されている。
【００４０】
ケース２３は、たとえば白色樹脂からなり、ＬＥＤチップ２１を囲む枠状である。ケース２３の内側面は、ＬＥＤチップ２１からの光を反射することによりこの光を出射させるリフレクタとして機能している。
【００４１】
ＬＥＤ基板２７は、複数のＬＥＤ発光部２が搭載された基板である。このようなＬＥＤ基板２７の一例としては、ガラスエポキシ樹脂からなる基材と、この基材上に形成された配線パターンとを有する構成が挙げられる。図４および図５に示すように、ＬＥＤ基板２７は、天井面８１よりも室内側に位置している。
【００４２】
ＬＥＤ基板２７は、ｚ方向に対して直角である第１の面２７１および第２の面２７２を有している。第１の面２７１は、第２の面２７２に対して室内側に位置する。複数のＬＥＤ発光部２は、ＬＥＤ基板２７の第１の面２７１に搭載されている。複数のＬＥＤ発光部２は、平面視において同心円状に配置されている。
【００４３】
ＬＥＤ基板２７は、ｚ方向視円形状である。ＬＥＤ基板２７は、ケース１の金属部１１の主板部１１１の周端に取り付けられており、第２の面２７２側から主板部１１１に保持されている。また、ＬＥＤ基板２７は、ｚ方向視において主板部１１１と重なっており、主板部１１１と同じか小さい大きさである。本実施形態においては、ｚ方向視においてＬＥＤ基板２７の中心と金属部１１の筒状部１１２の中心とが略一致している。また、ｚ方向視において、ＬＥＤ基板２７の面積は天井貫通孔８３の面積よりも大であり、ＬＥＤ基板２７の径は天井８の天井貫通孔８３の径よりも大であり、ｚ方向視においてＬＥＤ基板２７が天井貫通孔８３を覆っている。ＬＥＤ基板２７の面積は、電源部５２の面積よりも大である。複数のＬＥＤ発光部２およびＬＥＤ基板２７は、天井８の天井面８１よりも室内側に位置している。なお、ＬＥＤ基板２７は、平面視円形状に限定されず、たとえば平面視矩形状であってもよい。また、天井貫通孔８３は、平面視円形状に限定されず、たとえば平面視矩形状であってもよい。
【００４４】
透光カバー３は、複数のＬＥＤ発光部２からの光を透過させるものであり、平面視において複数のＬＥＤ発光部２を覆っている。また、本実施形態においては、透光カバー３は、複数のＬＥＤ発光部２からの光を拡散させつつ透過させる。このような透光カバー３としては、たとえば半透明な乳白色の樹脂からなるものが一例として挙げられる。透光カバー３は、平面視円形状であり、ケース１の樹脂部１２によって支持されている。
【００４５】
ここで、ＬＥＤ照明装置Ａ１の外観のうち天井面８１よりも室内側においてＬＥＤ照明装置Ａ１の外観を構成する部位を室内部４と称する。室内部４は、ケース１のうち天井面８１よりも室内側に位置する部分と透光カバー３とを含む。本実施形態においては、ケース１のうち室内部４を構成する部位に相当するものは、樹脂部１２である。ただし、金属部１１の一部が樹脂部１２から露出することにより、金属部１１の一部が室内部４を構成してもよい。本実施形態においては、室内部４は、平面視円形状である。
【００４６】
外部端子部５１は、外部の電源供給経路である給電ケーブル８９との接続がなされる部位である。本実施形態においては、外部端子部５１は、保護部材５１１および電極端子５１２を有する。電極端子５１２は、給電ケーブル８９と直接的に接続される部位であり、たとえば汎用のコネクタが用いられる。保護部材５１１は、電極端子５１２を保護する部材であり、たとえばシリコーンからなる。給電ケーブル８９は、外部端子部５１に対して天井面８１と平行である向きに接続されている。また、外部端子部５１は、ｚ方向視において、筒状部１１２に内包されている。
【００４７】
保護部材５１１は、斜面５１１１、第５の面５１１２、天面５１１３、一対の側面５１１４および端面５１１５を有する。図３に示すように、一対の側面５１１４は、ｚ方向視において電極端子５１２をｘ方向両側から挟むように配置されている。第５の面５１１２と端面５１１５とは、ｚ方向視において電極端子５１２をｙ方向両側から挟むように配置されている。第５の面５１１２は、底板部分１１２２の第４の面１１２２ｂと角度をなす面であり、本実施形態においては、第４の面１１２２ｂに対して直角である。また、電極端子５１２が、第５の面５１１２から露出している。図４および図５に示すように、天面５１１３は、ｚ方向において電極端子５１２に対して底板部分１１２２とは反対側に位置している。斜面５１１１は、天面５１１３の一端と端面５１１５との一端を繋いでおり、ｚ方向視において一対の側面５１１４の間に位置している。斜面５１１１は、ｚ方向に対して傾斜している。斜面５１１１は、ｚ方向視において、給電ケーブル８９とはｙ方向の反対側に設けられている。より具体的には、斜面５１１１は、給電ケーブル８９から遠ざかるほど、ｚ方向の高さが低くなるように傾斜している。
【００４８】
本実施形態においては、保護部材５１１は、ケース１の金属部１１の筒状部１１２の底板部分１１２２に対して室外側(上側)に取り付けられており、筒状部１１２の直上に位置している。
【００４９】
電極端子５１２は、図４および図５に示すように、筒状部１１２の底板部分１１２２上に配置されている。電極端子５１２は、保護部材５１１によって収容されることにより保護されている。図３に示すように電極端子５１２は、ｚ方向視において、保護部材５１１に内包されている。また、電極端子５１２は、ｚ方向視において、２つの固定ばね６１の間に位置している。電極端子５１２には、給電ケーブル８９がｙ方向から差し込まれる構成となっている。
【００５０】
電源部５２は、外部端子部５１にて受けた電力を、複数のＬＥＤ発光部２に適した電力に変換するためのものであり、たとえば、入力された交流電力を、定電流の直流電力に変換する。図７は、電源部５２を示す平面図であり、図８は、電源部５２を示す右側面図である。なお、図８は、図７におけるＶＩＩＩ線方向からみた図である。電源部５２の仕様の一例を挙げると、定格入力電圧が１００Ｖ程度、定格出力電流が１００ｍＡ程度、定格出力電圧が２７Ｖ〜４７Ｖである。電源部５２は、ＬＥＤ基板２７の第２の面２７２側に配置されている。また、電源部５２は、ｚ方向視において、ＬＥＤ基板２７内に包含されている。また、電源部５２は、ｚ方向視において、金属部１１の筒状部１１２によって覆われている。
【００５１】
本実施形態の電源部５２は、電源基板５２１および複数の電子素子５２２を有する。
【００５２】
電源基板５２１は、複数の電子素子５２２が実装される基板である。本実施形態においては、電源基板５２１は、平面視円形状とされている。電源基板５２１の直径は、たとえば２５ｍｍ〜３０ｍｍである。
【００５３】
複数の電子素子５２２は、電源部５２が果たすべき電力変換機能を実現する電気回路を構成する素子である。本実施形態においては、複数の電子素子５２２は、コンデンサ５２３、ダイオード５２４、ヒューズ５２５、ＩＣ５２６、コイル５２７、チップ抵抗５２８、トランス５２９およびバリスタ５３０を含む。また、複数の電子素子５２２は、整流ダイオードブリッジ（図示略）を含む。
【００５４】
コンデンサ５２３は、容量がたとえば６．８μＦおよび３３μＦ程度である。ダイオード５２４は、ファストリカバリーダイオードであり、直流逆方向電圧が４００Ｖ程度、平均整流電流が１Ａ程度である。ヒューズ５２５は、容量が１．５Ａ程度である。ＩＣ５２６は、ＭＯＳＦＥＴが内蔵されており、電力変換制御を行う。コイル５２７は、容量が１．５ｍＨ程度とされた面実装コイルである。チップ抵抗５２８は、抵抗値が７５ｋΩ〜５１０ｋΩ程度である。トランス５２９は、いわゆる変圧機能を果たす素子である。バリスタ５３０は、いわゆる非直線性抵抗素子であり、耐圧が４７０Ｖ程度である。
【００５５】
また、電源部５２は、２つの入力端子５３１および２つの出力端子５３２を有している。２つの入力端子５３１は、外部からの交流電力が入力される端子である。２つの出力端子５３２は、ＬＥＤ基板２７を介して複数のＬＥＤ発光部２へと直流電力が出力される端子である。
【００５６】
図４および図５に示すように、電源基板５２１および複数の電子素子５２２は、ケース１の金属部１１の筒状部１１２に収容されている。外部端子部５１は、その全てが天井８の天井面８１よりも室外側に位置している。本実施形態においては、電源部５２は、その全てが天井８の天井面８１よりも室外側に位置しているが、このような位置関係に限定されるものではない。また、電源部５２の一部は、天井８の天井裏面８２よりも室外側に位置しているが、このような位置関係に限定されるものではない。図３に示すように、電源部５は、平面視において室内部４の中心に重なる位置に設けられている。本実施形態においては、外部端子部５１の電極端子５１２と電源部５２とは、接続ケーブル５７１を介して接続されている。また、電源部５２とＬＥＤ基板２７とは、接続ケーブル５７２を介して接続されている。
【００５７】
天井８には、天井貫通孔８３が設けられている。天井貫通孔８３は、ケース１の金属部１１の筒状部１１２、すなわち電源部５２を天井面８１よりも室外側に位置させるためのものである。本実施形態においては、天井貫通孔８３は、平面視円形状である。
【００５８】
ＬＥＤ照明装置Ａ１は、天井８への固定手段として、２つの固定ばね６１を有する。２つの固定ばね６１は、ケース１の金属部１１の筒状部１１２に固定されており、図３および図４に示すように、筒状部１１２の径方向に相当するｘ方向両側に延出している。本実施形態においては、給電ケーブル８９は、固定ばね６１が延出するｘ方向と交差する方向に延出しており、図示された例においては、給電ケーブル８９は、固定ばね６１が延出するｘ方向と直角であるｙ方向に延出している。固定ばね６１は、たとえばばね鋼からなる帯板を折り曲げ加工することによって形成されている。
【００５９】
図４において、想像線で示す２つの固定ばね６１は、弾性力を発揮していない自然状態を示している。ＬＥＤ照明装置Ａ１を天井８に取り付ける際には、２つの固定ばね６１を変形させ、金属部１１の筒状部１１２に添わせる。そして、外部端子部５１および筒状部１１２と２つの固定ばね６１とを天井８の天井貫通孔８３に挿通させる。
【００６０】
２つの固定ばね６１を図４に示す状態まで挿入すると、２つの固定ばね６１は、互いに離間するように変形する。図４において実線で示す２つの固定ばね６１は、挿入が完了した状態を示している。広がった形態となった２つの固定ばね６１は、ＬＥＤ照明装置Ａ１が天井８に対して室内側（下側）に移動することを阻止する機能を果たす。これにより、ＬＥＤ照明装置Ａ１が天井８に対して固定される。
【００６１】
なお、ＬＥＤ照明装置Ａ１の天井８への固定機構としては、固定ばね６１に限定されず、ねじや嵌め込み等の様々な機構を適宜採用することができる。
【００６２】
図１９は、ＬＥＤ照明装置Ａ１を天井８に取り付ける工程を示している。この工程に先立ち、天井面８１よりも室内側の空間において、外部端子部５１に給電ケーブル８９を接続する。次いで、図示されたように、給電ケーブル８９が接続されたＬＥＤ照明装置Ａ１を天井８の天井貫通孔８３に徐々に挿入する。ＬＥＤ照明装置Ａ１のうち給電ケーブル８９が取り付けられた側が、他の部位に先行して天井貫通孔８３内に向かう。このため、ＬＥＤ照明装置Ａ１は、図示された斜めの姿勢で、天井貫通孔８３に臨む。図示された状態から外部端子部５１等を天井貫通孔８３内に進入させるには、ＬＥＤ照明装置Ａ１を図中右回りに旋回させる挙動をとる。この際、天井貫通孔８３の近傍を外部端子部５１が通過する。
【００６３】
次に、ＬＥＤ照明装置Ａ１の作用について説明する。
【００６４】
本実施形態によれば、第４の面１１２２ｂと角度をなす第５の面５１１２から露出する電極端子５１２に給電ケーブル８９が接続されていることにより、天井８の室外側の空間において給電ケーブル８９が梁等と干渉することを抑制することができる。
【００６５】
また、図１９に示すＬＥＤ照明装置Ａ１の取付工程において、ＬＥＤ照明装置Ａ１を旋回させるように天井貫通孔８３に進入させる際に、外部端子部５１の保護部材５１１が天井貫通孔８３の近傍を通過する。斜面５１１１は、取り付け状態の天井面８１、言い換えると主板部１１１やＬＥＤ基板２７に対して傾斜している。このため、斜面５１１１が天井貫通孔８３との干渉を回避する機能を果たす。したがって、ＬＥＤ照明装置Ａ１と天井８等との干渉を抑制することができる。
【００６６】
斜面５１１１が給電ケーブル８９とは反対側に設けられていることにより、図１９に示す取付工程において天井貫通孔８３に最も接近すると想定される箇所に斜面５１１１を置くことが可能である。これは、天井８等との干渉回避に好ましい。
【００６７】
給電ケーブル８９が、固定ばね６１が延出するｘ方向と交差する方向に延出していることにより、たとえばＬＥＤ照明装置Ａ１を取り付ける際にｚ方向に起立させられた固定ばね６１と給電ケーブル８９とが干渉することを回避することができる。特に、図３に示すように、給電ケーブル８９が、固定ばね６１が延出するｘ方向と直角であるｙ方向に延出している構成は、固定ばね６１と給電ケーブル８９との干渉を回避するのに好ましい。
【００６８】
ｚ方向視において、外部端子部５１が筒状部１１２に内包されている構成は、ＬＥＤ照明装置Ａ１と天井８等との干渉を回避するのに好ましい。
【００６９】
外部端子部５１および電源部５２のすべてが、天井面８１よりも室外側に位置する。これは、室内部４の薄型化に好ましい。
【００７０】
透光カバー３が、複数のＬＥＤ発光部２からの光を拡散させることにより、透光カバー３と複数のＬＥＤ発光部２との距離を縮小しつつ、複数のＬＥＤ発光部２の各々が外観に明瞭に現れることを抑制することができる。
【００７１】
外部端子部５１と電源部５２とが上下に位置する関係であることにより、天井貫通孔８３をより縮小することができる。
【００７２】
本発明に係るＬＥＤ照明装置は、上述した実施形態に限定されるものではない。本発明に係るＬＥＤ照明装置の各部の具体的な構成は、種々に設計変更自在である。
【符号の説明】
【００７３】
Ａ１      ：ＬＥＤ照明装置
１        ：ケース
２        ：ＬＥＤ発光部
３        ：透光カバー
４        ：室内部
５        ：電源部
８        ：天井
１１      ：金属部
１２      ：樹脂部
２１      ：ＬＥＤチップ
２２      ：リード
２３      ：ケース
２４      ：透光樹脂
２７      ：ＬＥＤ基板
５１      ：外部端子部
５２      ：電源部
６１      ：固定ばね
７１      ：断熱部材
８１      ：天井面
８２      ：天井裏面
８３      ：天井貫通孔
８９      ：給電ケーブル
１１１    ：主板部
１１２    ：筒状部
１１２１  ：円筒部分
１１２２  ：底板部分
１１２２ａ：第３の面
１１２２ｂ：第４の面
１１２ａ  ：第１部
１１２ｂ  ：第２部
１１２ｃ  ：第３部
２７１    ：第１の面
２７２    ：第２の面
５１１    ：保護部材
５１１１  ：斜面
５１１２  ：第５の面
５１１３  ：天面
５１１４  ：側面
５１１５  ：端面
５１２    ：電極端子
５２１    ：電源基板
５２２    ：電子素子
５２３    ：コンデンサ
５２４    ：ダイオード
５２５    ：ヒューズ
５２７    ：コイル
５２８    ：チップ抵抗
５２９    ：トランス
５３０    ：バリスタ
５３１    ：入力端子
５３２    ：出力端子
５７１，５７２：接続ケーブル
【図１】
2017117548.tif 000003
【図２】
2017117548.tif 000004
【図３】
2017117548.tif 000005
【図４】
2017117548.tif 000006
【図５】
2017117548.tif 000007
【図６】
2017117548.tif 000008
【図７】
2017117548.tif 000009
【図８】
2017117548.tif 000010
【図９】
2017117548.tif 000011